(57)【要約】本発明はウェブユーザーに最適化された広告及びイベント提供方法並びにシステムに関し、収集したウェブユーザーの情報を検索条件として広告及びイベント情報データベースを検索し、最適化された広告及びイベントを提供する方法及びシステムに関するものである。本発明に係るウェブユーザーに最適化された広告及びイベント提供方法は、ウェブサイトに接続したユーザーの情報を収集するステップと、上記収集されたユーザーの情報を検索条件として広告及びイベント提供情報をデータベースで検索するステップと、上記検索された内容に基づき上記ユーザーに広告及びイベントを提供するステップとを含む。
2009533751.tif 000002
【特許請求の範囲】
【請求項１】
電子サイトに接続したユーザーの情報を一つ以上収集するステップ；
上記収集されたユーザーの情報のうち少なくとも一つを検索条件にして、上記電子サイトで進行中のイベントのうち上記ユーザーの情報とマッチングされる商品が提供されるイベントを上記電子サイトのデータベースで検索するステップ；及び
上記検索したイベントを上記電子サイトに接続したユーザーに提供するステップを含むことを特徴とするユーザー向けのイベント提供方法。
【請求項２】
電子サイトに接続したユーザーから検索語を受信するステップ；
上記受信した検索語を検索条件にして、上記電子サイトで進行中のイベントのうち上記検索語とマッチングされる商品が提供されるイベントを上記電子サイトのデータベースで検索するステップ；及び
上記検索したイベントを上記検索語に伴う検索結果と共にユーザーに提供するステップを含むことを特徴とするユーザー向けのイベント提供方法。
【請求項３】
電子サイトで進行中のイベントを特定の検索語に対する検索結果としてマッチングさせて上記電子サイトのデータベースに格納するステップ；
上記電子サイトに接続したユーザーから検索語を受信するステップ；及び
上記データベースに、上記受信した検索語にマッチングされているイベントが存在する場合、これを上記検索語に伴う検索結果と共にユーザーに提供するステップを含むことを特徴とするユーザー向けのイベント提供方法。
【請求項４】
電子サイトに接続したユーザーから検索語が受信されたのか否かを判定するステップ；
上記電子サイトに接続したユーザーから検索語が受信される場合、上記受信した検索語を検索条件にして、上記電子サイトで進行中のイベントのうち上記検索語とマッチングされる商品が提供されるイベントを上記電子サイトのデータベースで検索し、上記検索したイベントを上記検索語に伴う検索結果と共にユーザーに提供するステップ；及び
所定時間以内に上記電子サイトに接続したユーザーから検索語が入力されない場合、上記電子サイトに接続したユーザーの情報を一つ以上収集し、上記収集されたユーザーの情報のうち少なくとも一つを検索条件にして、上記電子サイトで進行中のイベントのうち上記ユーザーの情報とマッチングされる商品が提供されるイベントを上記データベースで検索し、上記検索したイベントを上記電子サイトに接続したユーザーに提供するステップを含むことを特徴とするユーザー向けのイベント提供方法。
【請求項５】
上記イベントは上記電子サイトで進められる景品イベントであり、
上記データベースに格納された景品イベントは景品の名称別に分類して格納されていることを特徴とする請求項１〜４のいずれか１項に記載のユーザー向けのイベント提供方法。
【請求項６】
上記イベントは上記電子サイトを介し販売する商品広告であり、
上記データベースに格納された商品広告は上記商品広告で取り扱う商品別に分類して格納されていることを特徴とする請求項１〜４のいずれか１項に記載のユーザー向けのイベント提供方法。
【請求項７】
上記ユーザーの情報はユーザーの接続IPアドレスから獲得したユーザー位置情報を含み、
上記データベースにはユーザーの接続位置に従いイベントがマッチングされていることを特徴とする請求項１に記載のユーザー向けのイベント提供方法。
【請求項８】
上記ユーザーの情報は上記電子サイトにおける検索ヒストリまたは購入ヒストリを含み、
上記データベースには検索ヒストリまたは購入ヒストリに従いイベントがマッチングされていることを特徴とする請求項１に記載のユーザー向けのイベント提供方法。
【請求項９】
上記ユーザーの情報は上記電子サイトで運営するコミュニティに対するユーザー加入内訳を含み、
上記データベースにはユーザーが加入したコミュニティに従いイベントがマッチングされていることを特徴とする請求項１に記載のユーザー向けのイベント提供方法。
【請求項１０】
上記データベースにはユーザーが上記電子サイトに接続する時間帯に従いイベントがマッチングされており、
上記ユーザーの情報は上記電子サイトにユーザーが接続した時間であることを特徴とする請求項１に記載のユーザー向けのイベント提供方法。
【請求項１１】
上記検索したイベントを上記電子サイトに接続したユーザーに提供するステップを行なう場合、ユーザー別にイベント提供内訳を格納及び管理するステップをさらに含むことを特徴とする請求項１〜４のいずれか１項に記載のユーザー向けのイベント提供方法。
【請求項１２】
上記検索したイベントを上記電子サイトに接続したユーザーに提供した場合、これに対するユーザーの参加度を格納及び管理するステップをさらに含むことを特徴とする請求項１〜４のいずれか１項に記載のユーザー向けのイベント提供方法。
【請求項１３】
上記ユーザーの参加度に従い上記電子サイトに接続したユーザーに提供するイベントを調整するステップをさらに含むことを特徴とする請求項１２に記載のユーザー向けのイベント提供方法。
【請求項１４】
ユーザーが提供を望むイベント情報が設定されるステップをさらに含み、
上記設定されたイベント情報を反映し、上記検索したイベントを上記電子サイトに接続したユーザーに提供するステップを行なうことを特徴とする請求項１〜４のいずれか１項に記載のユーザー向けのイベント提供方法。
【請求項１５】
電子サイトを利用してユーザー向けのイベントを提供するシステムにおいて、
上記電子サイトに接続したユーザーの情報や検索語を収集する情報収集部；
上記ユーザーの情報や上記検索語に対応する商品または景品と関連したイベントを格納及び管理するデータベース；及び
上記収集されたユーザーの情報や検索語のうち少なくとも一つを検索条件にして、上記電子サイトで進行中のイベントのうち、上記ユーザーの情報や上記検索語とマッチングされる商品または景品に関するイベントを上記データベースで検索し、上記電子サイトに接続したユーザーに提供するメインサーバーを備えることを特徴とするユーザー向けのイベント提供システム。
【発明の詳細な説明】
【技術分野】
【０００１】
本発明は、ウェブユーザーに最適化された広告及びイベント提供方法並びにシステムに関し、収集したウェブユーザーの情報を検索条件として広告及びイベント情報データベースを検索し、最適化された広告及びイベントを提供する方法及びシステムに関するものである。
【背景技術】
【０００２】
既存の検索サービスウェブサイトの検索結果に関して、ページは、キーワードを介する単なる検索結果と、固定された位置を購入したバナー広告と、検索キーワード広告会社(オーバーチュア)との提携した広告とからなるものであった。
【０００３】
インターネットで、企業は売上を増やすための広告、広報をしている。しかしながら、単に情報を検索しようとすることが第1目的であるユーザーにとって、ポップアップやバナーのような広告は、まるで甘受せざるを得ない代価のごときものである。そのため、実際の売上発生などの期待効果を奏することができるほどユーザーの関心を引くことができなかった。
【０００４】
さらに、各ユーザーの欲求に合う最適化されたサービスの必要性に伴い、検索サービスを利用する全ての顧客に同じように提供されるイベント情報では、ユーザーの自発的な参加を導き出すことができないという問題点があった。
【発明の開示】
【発明が解決しようとする課題】
【０００５】
上記の問題点を解決するため、本発明はウェブユーザーに最適化された広告及びイベントを提供し、ウェブユーザーの積極的な参加を誘導することにより、広告の効果を高めることに目的がある。
【課題を解決するための手段】
【０００６】
本発明の第1側面によれば、電子サイトに接続したユーザーの情報を一つ以上収集するステップ；上記収集されたユーザーの情報のうち少なくとも一つを検索条件にして、上記電子サイトで進行中のイベントのうち上記ユーザーの情報とマッチングされる商品が提供されるイベントを上記電子サイトのデータベースで検索するステップ；及び上記検索したイベントを上記電子サイトに接続したユーザーに提供するステップを含むことを特徴とするユーザー向けのイベント提供方法が提供される。
【０００７】
本発明の第2側面によれば、電子サイトに接続したユーザーから検索語を受信するステップ；上記受信した検索語を検索条件にして、上記電子サイトで進行中のイベントのうち上記検索語とマッチングされる商品が提供されるイベントを上記電子サイトのデータベースで検索するステップ；及び上記検索したイベントを上記検索語に伴う検索結果と共にユーザーに提供するステップを含むことを特徴とするユーザー向けのイベント提供方法が提供される。
【０００８】
本発明の第3側面によれば、電子サイトで進行中のイベントを特定の検索語に対する検索結果としてマッチングさせて上記電子サイトのデータベースに格納するステップ；上記電子サイトに接続したユーザーから検索語を受信するステップ；及び上記データベースに、上記受信した検索語にマッチングされているイベントが存在する場合、これを上記検索語に伴う検索結果と共にユーザーに提供するステップを含むことを特徴とするユーザー向けのイベント提供方法が提供される。
【０００９】
本発明の第4側面によれば、電子サイトに接続したユーザーから検索語が受信されたのか否かを判定するステップ；上記電子サイトに接続したユーザーから検索語が受信される場合、上記受信した検索語を検索条件にして、上記電子サイトで進行中のイベントのうち上記検索語とマッチングされる商品が提供されるイベントを上記電子サイトのデータベースで検索し、上記検索したイベントを上記検索語に伴う検索結果と共にユーザーに提供するステップ；及び所定時間以内に上記電子サイトに接続したユーザーから検索語が入力されない場合、上記電子サイトに接続したユーザーの情報を一つ以上収集し、上記収集されたユーザーの情報のうち少なくとも一つを検索条件にして、上記電子サイトで進行中のイベントのうち上記ユーザーの情報とマッチングされる商品が提供されるイベントを上記データベースで検索し、上記検索したイベントを上記電子サイトに接続したユーザーに提供するステップを含むことを特徴とするユーザー向けのイベント提供方法が提供される。
【００１０】
さらに、本発明は、電子サイトを利用してユーザー向けのイベントを提供するシステムにおいて、上記電子サイトに接続したユーザーの情報や検索語を収集する情報収集部；上記ユーザーの情報や上記検索語に対応する商品または景品と関連したイベントを格納及び管理するデータベース；及び上記収集されたユーザーの情報や検索語のうち少なくとも一つを検索条件にして、上記電子サイトで進行中のイベントのうち、上記ユーザーの情報や上記検索語とマッチングされる商品または景品に関するイベントを上記データベースで検索し、上記電子サイトに接続したユーザーに提供するメインサーバーを備えることを特徴とするユーザー向けのイベント提供システムを提供する。
【発明を実施するための最良の形態】
【００１１】
以下では、本発明の好ましい実施例を添付の図を参照して詳しく説明する。
【００１２】
本発明におけるイベントとは、ウェブサイトの機能に従いユーザーに提供する基本情報の他に付加的に提供される情報を意味する。
【００１３】
図1は、本発明の好ましい実施例に係る、ウェブユーザーに最適化された広告及びイベント提供システムを示すブロック図である。
【００１４】
図1に示されているように、ウェブユーザーに最適化された広告及びイベント提供システムは、情報収集部10、検索データベース20、広告及びイベント情報データベース30、検索結果生成部40で構成される。
【００１５】
情報収集部10は、ユーザーから提供を求められた広告及びイベント設定情報の入力を受け、ウェブサイトに接続したユーザーの情報を収集する。検索データベース20は、ユーザーが入力した検索語に対応する検索結果を格納する。
【００１６】
広告及びイベント情報データベース30は、情報収集部10で収集したユーザーの情報、ユーザーから入力を受けた設定情報、及び、ユーザーが入力した検索語に対応する広告及びイベント提供情報を格納する。
【００１７】
検索結果生成部40は、検索データベース20の検索結果と、広告及びイベント情報データベース30の検索結果とを結合して検索結果画面を生成する。
【００１８】
図2は、本発明の好ましい実施例に係るウェブユーザーに最適化された広告及びイベント提供方法を示すフローチャートである。
【００１９】
図2に示されているように、ウェブサイトに接続したユーザーの情報を収集する(S100)。 ユーザーがウェブサイトにログインしない場合には、ユーザーが接続した時間帯、ユーザーの接続IPアドレス情報から獲得されるユーザーが居住する地域情報を収集することができる。さらに、ユーザーが入力した検索語を介してもユーザーの関心分野などを推定することができる。
【００２０】
ユーザーがウェブサイトにログインした場合には、住所、性別、年齢、職場、趣味などの基本会員情報、加入されたコミュニティ情報、お気に入り情報、商品評価情報などを収集することができる。さらに、ユーザーが従前検索した検索情報及び従前購入した購入情報も収集することができる。
【００２１】
ユーザーから提供を望む広告及びイベント設定情報の入力を受けることもできる。例えば、ユーザーがコンピュータに関心がある場合、コンピュータに対する広告及びイベントを提供するように設定することができる。
【００２２】
ユーザーの設定情報及び収集されたユーザーの情報を検索条件として、広告及びイベント提供情報を広告及びイベント情報データベース30で検索する(S110)。 広告及びイベント情報データベース30は、ユーザーが接続した時間帯に対応する広告及びイベント提供情報を含むことができる。広告及びイベント情報データベース30は、ユーザーの居住地域情報に対応する広告及びイベント提供情報を含むことができる。広告及びイベント情報データベース30は、ユーザーの従前の検索情報及び購入情報に対応する広告及びイベント提供情報を含むことができる。
【００２３】
広告及びイベント情報データベース30は住所、性別、年齢、職場、趣味などのユーザーの会員情報、加入したコミュニティ情報、お気に入り情報、商品評価情報などに対応する広告及びイベント提供情報を含むことができる。
【００２４】
検索された内容に基づきユーザーに広告及びイベントを提供する(S120)。
【００２５】
検索された広告及びイベント情報のうち、ユーザーが入力した広告及びイベント設定情報と関連する広告及びイベント情報を優先的に提供することができる。さらに、検索された広告及びイベント情報のうち、ユーザーが入力した検索語と関連する広告及びイベント情報を優先的に提供することができる。
【００２６】
例えば、ユーザーがコンピュータに関心のあるもので設定情報を入力し、収集されたユーザー情報からスポーツにも関心のあるものと判断されたのであれば、優先的にコンピュータに関連する広告及びイベント情報を提供することができ、コンピュータに関連する広告及びイベント情報がない場合には、スポーツに対する情報を提供することができる。
【００２７】
ユーザーに提供されるイベント情報は、商品を購入しながら一定額を後援団体に後援することができる後援商品情報、景品情報、セール/競売情報、商品情報または就業情報などであり得る。さらに、ユーザーに提供されるイベント情報はアンケート調査、割引クーポン、イベント応募情報などであり得る。
【００２８】
例えば、デジタルカメラを検索語に入力したウェブユーザーが、収集された情報からMP3に関心のあるものと分析されれば、MP3に関連する後援商品情報、アンケート調査、景品情報などのイベントを提供することもでき、さらに新しいMP3製品に対する広告を提供することができる。
【００２９】
そして、ユーザー別に広告及びイベント情報提供の内訳に対するヒストリ情報を格納する(S130)。
【００３０】
ユーザーがウェブサイトにログインした場合には、ユーザー別に広告及びイベント情報提供の内訳に対するヒストリ情報を格納し、次回にユーザーが接続するとき広告及びイベント情報提供に対する参考資料として用いることができる。
広告及びイベント情報提供に対するユーザーの参加度を格納する(S140)。
【００３１】
ユーザーがウェブサイトにログインした場合には、広告及びイベント情報提供に対するユーザーのクリック可否、広告された商品の購入可否などのユーザーの参加度情報を格納することができる。
【００３２】
従前の広告及びイベント情報提供に対するユーザーの参加度情報に従い、ユーザーに提供する広告及びイベント情報を調整する(S150)。
【００３３】
従前の広告及びイベント情報提供に対するユーザーの参加度情報を参考にし、新しくユーザーに提供する広告及びイベント情報の内容を調整することにより、ユーザーの参加度を高めることができる。
【００３４】
例えば、スポーツ用品とコンピュータ製品に関心のあるものと分析されたユーザーにスポーツ用品に対する広告及びイベント情報を提供したが、ユーザーの参加度が低かったとすれば、次にはスポーツ用品の代わりにコンピュータ製品に対する広告及びイベント情報を提供することができる。
【００３５】
ここに、図3を参照しながら本発明のさらに他の実施例を説明する。図3は、本発明の好ましい他の実施例に係る、ウェブユーザーに最適化された広告及びイベント提供方法を示すフローチャートである。
【００３６】
本発明に係る電子ウェブサイトにユーザーがアクセスする場合、電子ウェブサイトはユーザーが検索語を入力するまで待機する(S210)。検索語は必ずしもイベントや広告と関連した単語である必要はなく、インターネットコンテンツを検索する如何なる単語も含むことができる。さらに、電子ウェブサイトがユーザーからの検索語を待機する時間の制限を設けることも可能である。
【００３７】
電子ウェブサイトがユーザーから検索語を受信すれば、電子ウェブサイトは検索データベース20だけを検索するのではなく、広告及びイベント情報データベース30も検索して当該検索語と関連したイベントや広告の存在有無を把握する(S220)。その後、電子ウェブサイトは検索されたイベントと共に検索結果をユーザーに提供する(S230)。
【００３８】
もし、電子ウェブサイトが上述の時間の制限内にユーザーから検索語を受信できない場合は、電子ウェブサイトは少なくとも一つのユーザー情報を収集し、広告及びイベント情報データベース30を検索して当該ユーザー情報と関連したイベントや広告の存在有無を把握する(S240)。その後、電子ウェブサイトは検索されたイベントをユーザーに提供する(S250)。
【産業上の利用可能性】
【００３９】
本発明に係る、ウェブユーザーに最適化された広告及びイベント提供方法及びシステムは、ウェブユーザーに最適化された広告及びイベントを提供してウェブユーザーの積極的な参加を誘導することにより広告の効果を高めることができる。
併せて、本発明の好ましい実施例は例示の目的のためのもので、当業者であれば添付された特許請求の範囲の技術的思想及び範囲を逸脱することなく、多様な修正、変更、代替及び付加が可能なはずであり、このような修正変更等は当該特許請求の範囲に属するものと見なければならないはずである。
【図面の簡単な説明】
【００４０】
【図１】本発明の好ましい実施例に係る、ウェブユーザーに最適化された広告及びイベント提供システムを示すブロック図である。
【図２】本発明の好ましい一実施例に係る、ウェブユーザーに最適化された広告及びイベント提供方法を示すフローチャートである。
【図３】本発明の好ましい他の実施例に係る、ウェブユーザーに最適化された広告及びイベント提供方法を示すフローチャートである。
【符号の説明】
【００４１】
10 : 情報収集部
20 : 検索データベース
30 : 広告及びイベント情報データベース
40 : 検索結果生成部
【図１】
2009533751.tif 000003
【図２】
2009533751.tif 000004
【図３】
2009533751.tif 000005
【国際調査報告】
2009533751.tif 000006
2009533751.tif 000007